(57)【要約】【課題】他の機器の電源を確保しつつ通信機器による同軸ケーブル通信を可能とする。【解決手段】ハウジング１下面には複数のモジュラジャック４が設けられ、ハウジング１の前面には複数の栓刃挿入口６，６が列設されている。ハウジング１内には電源コード２を介して電力線に接続される複数組の刃受け７，７や引込用同軸ケーブル３を介して屋内配線の同軸ケーブルと接続される通信インタフェース部１１が収納される。而して、モジュラジャック４に接続される通信ケーブルを介してパーソナルコンピュータ等の通信機器により同軸ケーブル通信を行うことができ、しかも、ハウジング１前面に設けられた栓刃挿入口６にパーソナルコンピュータ等の機器の電源プラグの栓刃を挿入すれば、ハウジング１内の刃受け７並びに電源コード２を介して上記機器に給電することが可能である。【選択図】図１
2007103132.tif 000002
【特許請求の範囲】
【請求項１】
先端に付設された電源プラグをコンセントに差込接続することで屋内に配線された電力線と接続される電源コードと、先端に付設された同軸プラグコネクタを同軸レセプタクルコネクタに接続することで屋内に配線された同軸ケーブルと接続される引込用同軸ケーブルと、略箱形に形成され電源コード並びに引込用同軸ケーブルが内部に引き込まれるハウジングと、ハウジング内に収納され引込用同軸ケーブルに接続された同軸ケーブルを介して通信用の信号を変復調する通信用モデムと、ハウジング内に収納され通信用モデムと通信機器とのインタフェースを行う通信インタフェースと、ハウジングの表面に設けられ通信機器と通信インタフェースとを接続する通信ケーブルが挿抜自在に挿着される１乃至複数の通信用コネクタと、ハウジング内に収納され電源コードを介して電力線に並列接続される１乃至複数の刃受けとを備え、他の機器の電源プラグの栓刃を挿入して刃受けに接続するための１乃至複数の栓刃挿入口がハウジングの表面に設けられたことを特徴とする同軸ケーブル通信用配線器具。
【請求項２】
ハウジングの表面に設けられハウジング内で引込用同軸ケーブルと分岐接続された１乃至複数の分岐用同軸レセプタクルコネクタを備えたことを特徴とする請求項１記載の同軸ケーブル通信用配線器具。
【請求項３】
ハウジングは扁平な箱形に形成され、他の面よりも幅細の面に通信用コネクタが設けられるとともに当該面よりも幅の広い他の面に栓刃挿入口が設けられたことを特徴とする請求項１又は２記載の同軸ケーブル通信用配線器具。
【発明の詳細な説明】
【技術分野】
【０００１】
本発明は、オフィスや住宅等の屋内に配線された同軸ケーブルを利用してデータ通信を行うための同軸ケーブル通信用配線器具に関するものである。
【背景技術】
【０００２】
近年、オフィスや住宅においても複数台のコンピュータをつないだローカル・エリア・ネットワーク（ＬＡＮ）が急速に普及している。このようなＬＡＮにおいてコンピュータ間を接続する通信媒体として、通常、通信ケーブル（いわゆるＬＡＮケーブル）が用いられるが、既設のオフィスや住宅に新たにＬＡＮを導入する場合には配線工事の手間や費用を考慮して電波による無線方式が採用される場合もある。また、最近の住宅（戸建て住宅及び集合住宅の双方を含む。）では、テレビジョン放送受信用に屋内配線（同軸ケーブル）が先行配線され、壁に設けられたテレビコンセントに同軸ケーブルを介してテレビ受像機を接続することでテレビジョン放送の視聴が可能となっているが、同軸ケーブルの屋内配線を伝送路に利用するデータ通信サービス（いわゆる「ＣＡＴＶインターネット」）がＣＡＴＶ事業者によって提供されて広く普及してきている。前記データ通信サービスを利用するに当たっては、同軸ケーブルを介して通信用の信号を変復調する通信用モデム（一般にケーブルモデムと呼ばれる。）が必要となり、同軸ケーブルを介してテレビコンセントに接続されたケーブルモデムをＬＡＮケーブルを介して需要者側の通信機器（主にパーソナルコンピュータ）と接続する必要がある。
【０００３】
一方、同軸ケーブルの屋内配線をデータ通信の伝送路に利用することを前提として、前記ケーブルモデムの機能を内蔵したテレビコンセントが提案されている（例えば、特許文献１参照）。なお、以下では前記ＣＡＴＶインターネットを含めて同軸ケーブルの屋内配線を伝送路に利用するデータ通信を「同軸ケーブル通信」と呼ぶことにする。
【特許文献１】特開２００２−１９９５４１号公報
【発明の開示】
【発明が解決しようとする課題】
【０００４】
ところで、特許文献１に記載されているものではケーブルモデムの機能を利用するために外部から電源を供給する必要があり、そのために電源供給用のコネクタが設けられていた。しかしながら、テレビコンセントへの電源供給用に電源コンセントが占有されてしまうと、パーソナルコンピュータや他の機器の電源を確保することが困難になるという問題があった。
【０００５】
本発明は上記事情に鑑みてなされたものであり、その目的は、他の機器の電源を確保しつつ通信機器による同軸ケーブル通信が可能である同軸ケーブル通信用配線器具を提供することにある。
【課題を解決するための手段】
【０００６】
請求項１の発明は、上記目的を達成するために、先端に付設された電源プラグをコンセントに差込接続することで屋内に配線された電力線と接続される電源コードと、先端に付設された同軸プラグコネクタを同軸レセプタクルコネクタに接続することで屋内に配線された同軸ケーブルと接続される引込用同軸ケーブルと、略箱形に形成され電源コード並びに引込用同軸ケーブルが内部に引き込まれるハウジングと、ハウジング内に収納され引込用同軸ケーブルに接続された同軸ケーブルを介して通信用の信号を変復調する通信用モデムと、ハウジング内に収納され通信用モデムと通信機器とのインタフェースを行う通信インタフェースと、ハウジングの表面に設けられ通信機器と通信インタフェースとを接続する通信ケーブルが挿抜自在に挿着される１乃至複数の通信用コネクタと、ハウジング内に収納され電源コードを介して電力線に並列接続される１乃至複数の刃受けとを備え、他の機器の電源プラグの栓刃を挿入して刃受けに接続するための１乃至複数の栓刃挿入口がハウジングの表面に設けられたことを特徴とする。
【０００７】
請求項２の発明は、請求項１の発明において、ハウジングの表面に設けられハウジング内で引込用同軸ケーブルと分岐接続された１乃至複数の分岐用同軸レセプタクルコネクタを備えたことを特徴とする。
【０００８】
請求項３の発明は、請求項１又は２の発明において、ハウジングは扁平な箱形に形成され、他の面よりも幅細の面に通信用コネクタが設けられるとともに当該面よりも幅の広い他の面に栓刃挿入口が設けられたことを特徴とする。
【発明の効果】
【０００９】
請求項１の発明によれば、１乃至複数の刃受けを介して他の機器に給電することができるとともに、通信用コネクタに接続した通信機器による同軸ケーブル通信が可能になる。
【００１０】
請求項２の発明によれば、同軸ケーブルを送り配線することができる。
【００１１】
請求項３の発明によれば、ハウジングを小型化することができる。
【発明を実施するための最良の形態】
【００１２】
本実施形態の同軸ケーブル通信用配線器具は、図１及び図２に示すように先端に付設された電源プラグ２ａをコンセントに差込接続することで屋内に配線された電力線と接続される電源コード２と、先端に付設された同軸プラグコネクタ３ａを図示しない同軸レセプタクルコネクタ（例えば、テレビコンセントなど）に接続することで屋内に配線された同軸ケーブルと接続される引込用同軸ケーブル３と、略箱形に形成され電源コード２並びに引込用同軸ケーブル３が内部に引き込まれるハウジング１とを備える。但し、以下の説明では図１（ａ）を基準として上下左右の向きを規定し、紙面に垂直な方向を前後方向と規定する。
【００１３】
ハウジング１は扁平な略箱形の合成樹脂成型品からなり、右側面から電源コード２並びに引込用同軸ケーブル３が引き込まれるとともに、下面には通信ケーブル（ＣＡＴ５のＬＡＮケーブル）の先端に付設されているコネクタ（ＲＪ−４５のモジュラプラグ）が各々挿抜自在に接続される２つの受け側コネクタ（ＲＪ−４５のモジュラジャック４）が一列に並んで露出し、さらにハウジング１内で引込用同軸ケーブル３と分岐接続された２つの分岐用同軸レセプタクルコネクタ５がモジュラジャック４とともに一列に並んで露出している。また、ハウジング１の前面には、他の機器の電源プラグの栓刃が挿入される２組の栓刃挿入口６，６が列設され、ハウジング１内には各組の栓刃挿入口６に挿入された栓刃を受ける複数（２組）の刃受け７，７が収納されている。さらに、ハウジング１前面下部には複数（２つ）の表示素子（発光ダイオード）ＬＤが露出している。なお、モジュラジャック４は、モジュラプラグの差込口を開閉自在に塞ぐ扉４ａを具備しており、モジュラプラグが接続されていない状態では差込口が扉４ａで閉塞されることにより塵埃等の異物が内部に侵入しないようになっている。
【００１４】
図３は同軸ケーブル通信用配線器具の回路構成を示すブロック図である。電源コード２を介して電力線に接続される一対の電路に、合計２組の刃受け７が並列に接続されるとともに、ＡＣ／ＤＣコンバータからなる電源部８が接続されている。また、引込用同軸ケーブル３と接続された同軸線路を分岐分配する分岐分配部９と、分岐分配部９で分岐分配された一方の同軸線路をさらに２分配して２つの分岐用同軸レセプタクルコネクタ５，５に接続する分配部１０とが設けられ、さらに分岐分配部９で分岐分配された他方の同軸線路には通信インタフェース部１１が接続されている。
【００１５】
通信インタフェース部１１は、同軸線路を介して同軸ケーブル通信用の信号（以下、通信信号と呼ぶ。）を送受信するための送受信部１２と、所定形式の通信信号からデータ信号を復調する復調機能並びにパーソナルコンピュータなどの通信機器側の送信データを所定形式の通信信号に変調する変調機能を有するケーブルモデム１３と、各モジュラジャック４に接続される通信ケーブル（ＬＡＮケーブル）を介して通信機器との間で１００ＢＡＳＥ−ＴＸなどの規格に準拠してデータ伝送を行うためのＬＡＮコントローラ１４と、ＣＰＵを主構成要素とし、通信インタフェース部１１全体の制御を行う制御部１５とを具備する。制御部１５は、例えばケーブルモデム１３とＬＡＮコントローラ１４との間で授受するデータ（パケット）のフィルタリングなどのセキュリティ機能や、データ伝送中であることを知らせるために表示部１６を制御して表示部１６が有する複数の表示素子ＬＤを発光させる機能等を有している。なお、通信インタフェース部１１は電源部８で作成される直流電源によって動作する。
【００１６】
而して、本実施形態の同軸ケーブル通信用配線器具は、ＬＡＮコントローラ１４に対して並列接続された複数のモジュラジャック４を具備することで集線装置（ハブ）としても機能することが可能であり、複数のモジュラジャック４に接続される通信ケーブルを介してパーソナルコンピュータ等の複数の通信機器により同軸ケーブル通信を行うことができ、しかも、ハウジング１前面に設けられた栓刃挿入口６にパーソナルコンピュータ等の機器の電源プラグの栓刃を挿入すれば、ハウジング１内の刃受け７並びに電源コード２を介して上記機器に給電することが可能である。また、本実施形態では、ハウジング１の前面に設けられハウジング１内で引込用同軸ケーブル３と分岐接続された複数の分岐用同軸レセプタクルコネクタ５を備えているので、同軸ケーブルを送り配線することができる。さらに、ハウジング１が扁平な箱形に形成され、他の面よりも幅細の面（下面）に相対的に小型であるモジュラジャック４及び分岐用同軸レセプタクルコネクタ５が設けられるとともに、当該面よりも幅の広い他の面（前面）に相対的に大型である栓刃挿入口６が設けられているので、ハウジング１を小型化することができる。
【図面の簡単な説明】
【００１７】
【図１】本発明の実施形態を示し、（ａ）は正面図、（ｂ）は下面図である。
【図２】同上の斜視図である。
【図３】同上の回路ブロック図である。
【符号の説明】
【００１８】
１  ハウジング
２  電源コード
３  引込用同軸ケーブル
４  モジュラジャック
６  栓刃挿入口
８  電源部
７  刃受け
１１  通信インタフェース部
１２  送受信部
１３  ケーブルモデム
１４  ＬＡＮコントローラ
【図１】
2007103132.tif 000003
【図２】
2007103132.tif 000004
【図３】
2007103132.tif 000005